(57)【要約】【課題】作業性良く板体を固定体に固定できる複合体を提供する。【解決手段】本発明の複合体は、固定体と固定体に固定される板体とを備える。固定体は、第１端辺と第２端辺とを備える。第１端辺は、任意の方向に沿って形成される。第２端辺は、第１端辺から延在し、第１端辺との間で９０度より大きく１８０度よりも小さい角度を形成し、直線又は曲線形状をなす。板体は、折り曲げ加工されることによって、第１端辺及び第２端辺に係止される係止部を備える。【選択図】図１
2008191622.tif 000002
【特許請求の範囲】
【請求項１】
固定体と前記固定体に固定される板体とを備える複合体であって、
前記固定体は、
任意の方向に沿って形成される第１端辺と、
前記第１端辺から延在し、前記第１端辺との間で９０度より大きく１８０度よりも小さい角度を形成し、直線又は曲線形状をなす第２端辺と、を備え、
前記板体は、
折り曲げ加工されることによって、前記第１端辺及び前記第２端辺に係止される係止部を備える、
複合体。
【請求項２】
前記固定体の基端に切り欠き部を設け、
前記切り欠き部を構成する端辺の一部を前記第１端辺及び前記第２端辺とし、前記第１端辺は互いに対向する一対をなす端辺であるとともに、第２端辺も互いに対向する一対をなす端辺であり、
前記係止部は、前記切り欠き部の外側から内側に向かって突起する、一対の板状体である、
請求項１に記載の複合体。
【発明の詳細な説明】
【技術分野】
【０００１】
本発明は、固定体と固定体に固定される板体とを備える複合体に関する。特に、板体を折り曲げ加工することにより固定体に係止する複合体に関する。本発明は、例えば、カメラのレンズ鏡筒等に応用できる。
【背景技術】
【０００２】
特許文献１は、従来の複合体として、カメラに設けられたレンズ鏡筒を開示する。レンズ鏡筒は、固定体であるレンズ鏡筒本体に板体である化粧板を被せることにより構成されている。
【０００３】
これにより、レンズ鏡筒に取り付けられた部材を保護するとともに、レンズ鏡筒の見映えを良くしている。
【特許文献１】特開平６−２７３６５１号公報
【発明の開示】
【発明が解決しようとする課題】
【０００４】
しかしながら、従来の複合体では、ガタツキがない状態で、板体を固定体に取り付けるのに手間取っていた。
【０００５】
そこで、本発明は、作業性良く板体を固定体に固定できる複合体を提供することを目的とする。
【課題を解決するための手段】
【０００６】
上記の問題点を解決するために、本発明の複合体は、固定体と固定体に固定される板体とを備える。固定体は、第１端辺と第２端辺とを備える。第１端辺は、任意の方向に沿って形成される。第２端辺は、第１端辺から延在し、第１端辺との間で９０度より大きく１８０度よりも小さい角度を形成し、直線又は曲線形状をなす。板体は、折り曲げ加工されることによって、第１端辺及び第２端辺に係止される係止部を備える。
【０００７】
これにより、係止部を第１端辺および第２端辺に合わせて折り曲げるので、１回の折り曲げ作業で、板体を同時に２方向において固定体に固定できる。
【発明の効果】
【０００８】
本発明によれば、作業性良く板体を固定体に固定できる。
【発明を実施するための最良の形態】
【０００９】
（実施の形態１）
図１は、本発明の実施の形態１に係る対物レンズ固定筒１００の分解斜視図である。対物レンズ固定筒１００は、カメラのレンズ鏡筒の一部である。対物レンズ固定筒１００は、対物レンズ（不図示）を固定する。対物レンズ固定筒１００は、カメラ本体に対して進退可能である。これにより、光学ズームを可能にしている。
【００１０】
対物レンズ固定筒１００は、アルミ筒１０と固定筒本体２０とを含む。固定筒本体２０をアルミ筒１０で覆っている。これにより、固定筒本体２０に組み込まれた各種部品を保護すると共に、対物レンズ固定筒１００の外観をメタリックなものとすることができ、見映えを良くすることができる。
【００１１】
アルミ筒１０は、アルミニウム製の板体で形成されている。アルミ筒１０は、円筒形状の円筒部１１と円環形状の円環部１２と係止部１３とを有する。円環部１２は、円筒部１１の先端に設けられている。ここで、先端とは、対物レンズ固定筒１００をカメラに組み込んだ状態における、被写体側の端を意味する。円筒部１１の基端には係止部１３を設ける。ここで、基端とは、対物レンズ固定筒１００をカメラに組み込んだ状態における、像面側の端を意味する。
【００１２】
固定筒本体２０は、円筒部２１と円環部２２と被係止部２３とを有する。円環部２２は、円筒部２１の先端に設けられている。円筒部２１の基端には被係止部２３を設ける。
【００１３】
固定筒本体２０の円筒部２１の外周径は、アルミ筒１０の円筒部１１の内周径よりもわずかに小さい。そのため、固定筒本体２０の円筒部２１をアルミ筒１０の円筒部１１に挿入できる。固定筒本体２０の円筒部２１をアルミ筒１０の円筒部１１に挿入した状態で、アルミ筒１０の円環部１２は固定筒本体２０の円環部２２の一部を覆う。また、この状態で、係止部１３は被係止部２３に位置合わせされて配置される。図２に、このときの対物レンズ固定筒１００の斜視図を示す。
【００１４】
図３は、固定筒本体２０の拡大側面図である。この図３は、被係止部２３を拡大したものである。被係止部２３は、固定筒本体２０の円筒部２１の基端において、矩形状に切りかかれた形状をなしている。被係止部２３は、第１端辺２３ａと第２端辺２３ｂとを有する。第１端辺２３ａは、矩形切り欠き形状の端辺である。第１端辺２３ａは、対物レンズ固定筒１００の中心軸と平行な方向（図中ｙ方向）に沿って形成されている。第１端辺２３ａは、互いに対向する一対をなす端辺である。第２端辺２３ｂは、第１端辺２３ａから延在する曲線形状の端辺である。第２端辺２３ｂは、互いに対向する一対をなす端辺である。第１端辺２３ａと第２端辺２３ｂとは、９０度より大きく１８０度よりも小さい角度を形成する。
【００１５】
図４は、アルミ筒１０を固定筒本体２０に被せたときの対物レンズ固定筒１００の拡大側面図である。この図４は、係止部１３及び被係止部２３を拡大したものである。
【００１６】
係止部１３は、折り曲げ爪部１３ａを有する。折り曲げ爪部１３ａは、被係止部２３の外側から内側に向かって突起する、一対の細い板状体である。折り曲げ爪部１３ａは、アルミ筒１０を固定筒本体２０に被せた状態において、第１端辺２３ａと第２端辺２３ｂとの交わる点を覆うように、配置される。
【００１７】
この状態で、折り曲げ爪部１３ａを、固定筒本体２０の内部に向かう方向に、折り曲げる。すると、折り曲げ爪部１３ａは、第１端辺２３ａと第２端辺２３ｂとの交わる点を覆うように配置されているので、折り曲げられることにより、第１端辺２３ａおよび第２端辺２３ｂに接触する。これにより、アルミ筒１０は、固定筒本体２０に固定される。図５に、折り曲げ爪部１３ａを折り曲げたときの対物レンズ固定筒１００の拡大側面図を示す。
【００１８】
ここで、折り曲げ爪部１３ａが第１端辺２３ａに接触しているので、アルミ筒１０は、固定筒本体２０の周方向（図中ｘ方向）において固定筒本体２０に固定される。また、折り曲げ爪部１３ａが第２端辺２３ｂに接触しているので、アルミ筒１０は、固定筒本体２０の中心軸方向（図中ｙ方向）において固定筒本体２０に固定される。つまり、折り曲げ爪部１３ａを第１端辺２３ａおよび第２端辺２３ｂに合わせて折り曲げることにより、１回の折り曲げ作業で、アルミ筒１０を同時に２方向において固定筒本体２０に固定できる。
【００１９】
また、第１端辺２３ａを互いに対向する一対をなす端辺であるとし、第２端辺も互いに対向する一対をなす端辺であるとするとともに、折り曲げ爪部１３ａは、被係止部２３の外側から内側に向かって突起する、一対の細い板状体であるとした。このため、被係止部２３の切り欠き部分の幅より少し小さい部材を固定筒本体２０の内側に向けて押し込むことにより、２本の折り曲げ爪部１３ａを同時に折り曲げ加工することができる。そのため、アルミ筒１０を固定筒本体２０に容易に固定することができる。
【００２０】
なお、アルミ筒１０は、本発明の板体の一例である。固定筒本体２０は、本発明の固定体の一例である。対物レンズ固定筒１００は、本発明の複合体の一例である。係止部１３及び折り曲げ爪部１３ａは、本発明の係止部の一例である。被係止部２３は、本発明の切り欠き部の一例である。
【００２１】
（他の実施の形態）
実施の形態１では、本発明の板体として、アルミニウム製の円筒体であるアルミ筒１０を例示したが、本発明はこれには限らない。他の金属（例えば、ステンレス鋼やマグネシウム合金等）を用いて板体を形成してもよく、プラスチック材料を用いてもよい。また、形状も円筒形状に限定されず、固定体に固定される板体であればよい。
【００２２】
また、実施の形態１では、円筒部１１と円環部１２と係止部１３とを一体で形成するとしたが、これには限定されない。一部を別部材で構成し、それらを複合する構成でもよい。例えば、円筒部１１と係止部１３とを別部材にし、それらを複合する構成でもよい。このようにすることにより、円筒部１１と係止部１３とを別材料とすることができる。そのため、係止部１３をより折り曲げに適した材料にすることができる。
【００２３】
また、実施の形態１では、第１端辺２３ａを対物レンズ固定筒１００の中心軸と平行な方向に沿って形成されるとしたが、本発明はこれには限らない。例えば、図６に示すように、対物レンズ固定筒１００の中心軸と平行な方向とは異なる方向に沿って形成してもよい。
【００２４】
また、実施の形態１では、第２端辺２３ｂを曲線であるとしたが、図７に示すように、直線としてもよい。要するに、第２端辺は、第１端辺との間で９０度より大きく１８０度より小さい角度を形成する端辺であればよい。
【産業上の利用可能性】
【００２５】
本発明は、固定体と固定体に固定される板体とを備える複合体に適用可能である。より具体的には、カメラのレンズ鏡筒や携帯型オーディオ機器の外装等に適用可能である。
【図面の簡単な説明】
【００２６】
【図１】本発明の実施の形態１に係る対物レンズ固定筒の分解斜視図
【図２】本発明の実施の形態１に係る対物レンズ固定筒の斜視図
【図３】固定筒本体の拡大側面図
【図４】対物レンズ固定筒の拡大側面図
【図５】対物レンズ固定筒の拡大側面図
【図６】他の実施の形態に係る固定筒本体の拡大側面図
【図７】他の実施の形態に係る固定筒本体の拡大側面図
【符号の説明】
【００２７】
１    レンズ鏡筒
２    保持筒
２１    外筒
２１１    本体部
２１２    円環
２２    内筒
２２１    被写体側先端
３    移動筒
４    遮光シート
４ａ    切断部
【図１】
2008191622.tif 000003
【図２】
2008191622.tif 000004
【図３】
2008191622.tif 000005
【図４】
2008191622.tif 000006
【図５】
2008191622.tif 000007
【図６】
2008191622.tif 000008
【図７】
2008191622.tif 000009